(57)【要約】【課題】  この発明の課題は、用紙の排出時に用紙を撓ませてコシを付けることで安定した排出処理を実現するとともに、この撓みが画像の読み取りや形成に影響を及ぼさないようにすることにある。【解決手段】  用紙の排出を行う排出機構として、排出ローラと従動ローラからなり、排出ローラまたは従動ローラの少なくとも一方に用紙を撓ませるためのリングを備えることで、排出時の用紙にコシを付ける用紙排出機構において、コシ付け用リングに近接して、リングとは対向側から用紙を押さえつける用紙撓み抑制手段を備えるようにする。この用紙撓み抑制手段として、排出ローラと一体または別体の補助輪を設けるようにしても良い。【選択図】            図６
2007039186.tif 000002
【特許請求の範囲】
【請求項１】
用紙の排出を行う排出機構として、排出ローラと従動ローラからなり、排出ローラまたは従動ローラの少なくとも一方に用紙を撓ませるためのリングを備えることで、排出時の用紙にコシを付ける用紙排出機構において、
前記コシ付け用リングに近接して、リングとは対向側から用紙を押さえつける用紙撓み抑制手段を備える、
ことを特徴とする用紙排出機構。
【請求項２】
前記用紙撓み抑制手段として、排出ローラと一体または別体の補助輪を設ける、
ことを特徴とする請求項１記載の用紙排出機構。
【発明の詳細な説明】
【技術分野】
【０００１】
この発明は、スキャナ装置などの用紙排出機構に関し、安定した用紙排出を実現するため、排出時に用紙を撓ませることで用紙にコシを付けるとともに、この撓みが画像の読み取りや形成に影響を与えないようにすることを実現する技術に関するものである。
【背景技術】
【０００２】
スキャナ装置などの用紙排出時に用紙が薄紙の場合、用紙を撓ませず、そのままの状態で排出処理を行うと、用紙が排出口から排出された後、重力により用紙が垂れ下がった状態となってスタッカに接触することとなる。
【０００３】
このような状態でスタックしようとすると、用紙が反転したりまちまちな方向にスタックされたりして、非常にスタック動作が不安定なものとなる場合があった。
【０００４】
そこで、このような問題を解決するため、図１に示すように用紙の排出時に用紙を撓ませることで、用紙にコシを付け、用紙が排出口から排出された後、重力により用紙が垂れ下がったりしないようにする排紙機構が考案されている（特許文献１を参照）。
【０００５】
しかし、従来の用紙を撓ませて用紙にコシを付ける機構では、排出時の用紙の撓みが画像の読み取りや形成の部分にまで及ぶことがあり、画像の読み取り時に諧調に変動が発生したり、画像の形成時に画像が歪むなどの悪影響が出る場合があった。  
【０００６】
【特許文献１】特開平１１−１７１３８８号公報
【発明の開示】
【発明が解決しようとする課題】
【０００７】
前記のごとく、従来の技術では次のような問題点がある。
【０００８】
スキャナ装置やプリンタ装置などの用紙排出機構においては、用紙が薄紙の場合、用紙を撓ませないまま排出処理を行うと、スタッカにスタックされるとき、用紙が重力により垂れ下がり、用紙が排出時に反転したりまちまちな方向に排出されたりといったように、不安定な状態になりやすい。
【０００９】
このような状態にならないように、用紙排出時に用紙を撓ませ、用紙にコシを付けることで、用紙が垂れ下がったりせず、安定してスタックされるようにする装置が考案されている。
【００１０】
しかし、このような装置では、用紙排出時の用紙の撓みが、画像の読み取り部や形成部にまで及んでしまい、画像の読み取りや形成に悪影響を及ぼす場合があった。
【００１１】
この発明の課題は、用紙の排出時に用紙を撓ませてコシを付けることで安定した排出処理を実現するとともに、この撓みが画像の読み取りや形成に影響を及ぼさないようにすることにある。
【課題を解決するための手段】
【００１２】
前記の問題点を解決するために、この発明では次に示す手段を取った。
【００１３】
用紙の排出を行う排出機構として、排出ローラと従動ローラからなり、排出ローラまたは従動ローラの少なくとも一方に用紙を撓ませるためのリングを備えることで、排出時の用紙にコシを付ける用紙排出機構において、コシ付け用リングに近接して、リングとは対向側から用紙を押さえつける用紙撓み抑制手段を備えるようにする。
【００１４】
この用紙撓み抑制手段として、排出ローラと一体または別体の補助輪を設けるようにしても良い。
【発明の効果】
【００１５】
この発明により、以下に示すような効果が期待できる。
【００１６】
スキャナなどの用紙排出機構において、用紙が薄紙の場合でも、必要最低限の用紙のコシ付けにより安定して用紙排出処理が行えるとともに、画像の読み取りや形成部において用紙のコシ付けのための撓みが及ばないようにすることで、画像の読み取りや形成に悪影響を及ぼさないようにすることができる。
【発明を実施するための最良の形態】
【００１７】
この発明は、次に示す実施の形態を取った。
【００１８】
用紙排出機構として、排出ローラまたは従動ローラの少なくともいずれか一方の横に、取り付けられるローラの径よりも大きい径のリングを備えるようにする。
【００１９】
これにより、用紙排出時に用紙を撓ませることで、用紙にコシを付けることができるようになる。
【００２０】
上記のリングとは対向側に、排出用紙を押さえつけて用紙の撓みを抑制する用紙撓み抑制手段を、上記リングと近接するように備えるようにする。
【００２１】
これにより、用紙排出を安定させるのに最低限必要な用紙のコシ付けを行うとともに、画像の読み取りや形成部において用紙の撓みが及ばないようにすることができ、画像の読み取りや形成における悪影響を排除することができるようになる。
【００２２】
この用紙撓み抑制手段として、排出ローラと一体または別体の補助輪を使用するようにしても良い。
【００２３】
これにより、厚紙の排出時、排出ローラに備えられたリングにより用紙がローラに接触せず、駆動が伝わらないような場合にも、この補助輪により排出のための駆動が得られるようになる。
【実施例】
【００２４】
この発明による代表的な実施例を図によって説明する。なお、以下において、同じ箇所は同一の符号を付してあり、詳細な説明を省略することがある。
【００２５】
以下の説明においては、画像読取装置における用紙排出機構について説明する。画像形成装置についても理論的には同様な効果を発揮するものである。
【００２６】
図２に示すように、一般的な画像読取装置においては、ホッパ１０に積載された原稿用紙をピックローラ９によりピックし、駆動ローラ７と駆動ローラ側従動ローラ８により読取りユニット５の方に搬送し、ガラス面４に原稿用紙が密着するようにして、読取りポイント６においてＣＣＤなどの光学読取装置により原稿を読み取り、排出ローラ１と排出ローラ側従動ローラ２により原稿用紙を排出し、スタッカ３に原稿用紙がスタックされるようにしている。
【００２７】
このとき、原稿用紙が薄紙の場合、排出ローラ１と排出ローラ側従動ローラ２を通過した原稿用紙は、重力により下側に垂れ下がり、スタッカ３に垂れ下がって接触することで、用紙が反転したり、まちまちな方向にスタックされたりと、スタック処理が不安定となる。
【００２８】
そこで、図３に示すように、排出ローラ側従動ローラ２の横にコシ付け用リング１１を備えるようにすることで、原稿用紙１２を撓ませてコシを付けることで、排出ローラ１と排出ローラ側従動ローラ２を通過時に原稿用紙１２が垂れ下がることなく、安定してスタッカ３にスタックされるようにしている。
【００２９】
しかし、このように原稿用紙１２に撓みを持たせると、図３に示すように、画像読み取りを行う読取りポイント６においても原稿用紙１２の撓みが及んでしまい、画像読み取りの諧調に変動をきたす場合があった。
【００３０】
そこで図４および図６に示すように、コシ付け用リング１１とは対向する側から原稿用紙１２を押さえ込んで撓みを抑制する補助輪１３ｂを備えることで、用紙の撓みがコシ付けに最低限必要なものにおさえられ、読取りポイント６においては原稿用紙１２がガラス面４に密着するようにでき、読取り処理に悪影響を及ぼすことを防ぐことができるようにしている。
【００３１】
用紙の撓み抑制手段としては、図６に示すような、排出ローラと別体となった補助輪１３ｂの他に、図５に示すようなガイド部材１３ａとしたり、図７に示すような、排出ローラ一体型補助輪１３ｃとしたりしても良い。
【００３２】
補助輪の材質としては、ゴム材やスポンジ材を使用しても良い。
【００３３】
以上、画像読取装置の場合について本発明の実施例を説明してきたが、画像形成装置においても上記のように読取りポイントが画像形成ポイントに変わるだけであり、用紙の撓みが画像形成ポイントまで及ばないようにすることができ、画像形成への悪影響を排除することができる。
【図面の簡単な説明】
【００３４】
【図１】従来の用紙を撓ませて用紙にコシを付ける機構の説明図である。
【図２】画像読取装置の実施例１である。
【図３】用紙にコシ付けをするためのリングを付加した装置の例である。
【図４】コシ付け用用紙撓み抑制手段を備えた装置の例である。
【図５】用紙撓み抑制手段としてガイド部材を使用した例である。
【図６】用紙撓み抑制手段として排出ローラと別体の補助輪を使用した例である。
【図７】用紙撓み抑制手段として排出ローラと一体の補助輪を使用した例である。
【符号の説明】
【００３５】
１：排出ローラ
２：排出ローラ側従動ローラ
３：スタッカ
４：ガラス面
５：読取りユニット
６：読取りポイント
７：駆動ローラ
８：駆動ローラ側従動ローラ
９：ピックローラ
１０：ホッパ
１１：コシ付け用リング
１２：原稿用紙
１３ａ：ガイド部材
１３ｂ：補助輪
１３ｃ：排出ローラ一体型補助輪
【図１】
2007039186.tif 000003
【図２】
2007039186.tif 000004
【図３】
2007039186.tif 000005
【図４】
2007039186.tif 000006
【図５】
2007039186.tif 000007
【図６】
2007039186.tif 000008
【図７】
2007039186.tif 000009